(57)【要約】【課題】カバーの組み付け作業を行いやすくすることができる記録装置及びカバーの組み付け方法を提供する。【解決手段】ケース２５にカバー２７を組み付ける際には、カバー２７の開き動作によりケース２５のアクセス口２６を開放させる。そして、リンク４６の第１端４６ａ寄りの部分をカバー２７に接続する。更に、リンク４６の第２端４６ｂ寄りの部分を化粧板３９の接続部５２に接続する。そして、アクセス口２６からケース２５内に挿入される締結部材により、ケース２５（側壁形成部材２９）の第１被締結部に対し、化粧板３９の第２被締結部が締結される。このとき、リンク４６によってカバー２７の開き動作が規制されてアクセス口２６が狭くなるとしても、上記締結の作業を容易に行うことができる。このため、ケース２５に対するカバー２７の組み付け作業が行いやすくなる。【選択図】図７
2015174279.tif 000002
【特許請求の範囲】
【請求項１】
筐体の側面に設けられて液体保持体を収納するケースと、
前記筐体内に設けられて前記液体保持体から供給された液体を媒体に噴射する記録部と、
開閉動作により前記ケースのアクセス口を開放もしくは閉塞するカバーと、
前記ケースと前記カバーとのうちの一方に第１端部側が接続されたリンクと、
前記ケースと前記カバーとのうちのもう一方に設けられた第１被締結部と、
前記リンクの前記第１端部側とは反対側の第２端部側が接続される接続部、及び、前記第１被締結部と締結される第２被締結部、を有して前記ケースと前記カバーとのうちの前記もう一方に装着される装着部と、
を備え、
前記装着部は、前記ケースと前記カバーとのうちの前記もう一方に対して、前記ケースのアクセス口側から挿入された締結部材で部材で前記第１被締結部と前記第２被締結部とを締結することにより装着される
ことを特徴とする記録装置。
【請求項２】
前記カバーは、その下縁部を支点とする開き動作により前記ケースの上部に位置する前記アクセス口を開放する一方、前記下縁部を支点とする閉じ動作により前記アクセス口を閉塞する請求項１記載の記録装置。
【請求項３】
前記リンクの第１端部側は、同第１端部側に形成された長孔に前記ケースと前記カバーとのうちの一方に形成された鍔付きの突部を挿通させることにより、前記ケースと前記カバーとのうちの一方に接続されている請求項１又は２に記載の記録装置。
【請求項４】
前記第１被締結部は、前記ケースに設けられており、
前記接続部は、前記装着部の第２被締結部が前記第１被締結部に締結された状態のもとで、前記ケースに形成された壁面と対向している、請求項１〜３のいずれか一項に記載の記録装置。
【請求項５】
前記第１被締結部は、前記カバーに設けられており、
前記接続部は、前記装着部の第２被締結部が前記第１被締結部に締結された状態のもとで、前記カバーに形成された壁面と対向している、請求項１〜３のいずれか一項に記載の記録装置。
【請求項６】
前記接続部及び前記第２端部側は、一方に形成された凸部を、もう一方に形成された係合穴に挿入することにより接続されている請求項１〜５のいずれか一項に記載の記録装置。
【請求項７】
本体にカバーの縁部を支持させて同縁部を支点としたカバーの開閉動作により前記本体のアクセス口を開放もしくは閉塞可能とし、
前記アクセス口を開放した状態でリンクの第１端部側を前記本体と前記カバーとのうちの一方に接続し、
前記アクセス口を開放した状態で前記リンクの第２端部側を装着部に対し係合穴への凸部の挿入を通じて接続し、
前記リンクの第２端部側が接続されている装着部を、前記開放した状態のアクセス口側から挿入された締結部材により、前記本体と前記カバーとのうちのもう一方に設けられた被締結部に対し締結する
ことを特徴とするカバーの組み付け方法。
【請求項８】
本体にカバーの縁部を支持させて同縁部を支点としたカバーの開閉動作により前記本体のアクセス口を開放もしくは閉塞可能とし、
前記アクセス口を開放した状態でリンクの第１端部側を前記本体と前記カバーとのうちの一方に接続し、
前記開放した状態のアクセス口に対応する位置に引き出された装着部に対し、前記リンクの第２端部側を、係合穴への凸部の挿入を通じて接続し、
前記装着部を引き出される前の位置に戻すことにより、前記リンクの第２端部側が、前記本体と前記カバーとのうちのもう一方に設けられた壁面と前記装着部において前記壁面と向かい合う対向面との間に挟まれるようにし、
前記リンクの第２端部側が接続されている装着部を、前記開放した状態のアクセス口側から挿入された締結部材により、前記本体と前記カバーとのうちの前記壁面が存在する方に設けられた被締結部に対し締結する
ことを特徴とするカバーの組み付け方法。
【発明の詳細な説明】
【技術分野】
【０００１】
本発明は、記録装置及びカバーの組み付け方法に関する。
【背景技術】
【０００２】
インクジェット式プリンター等の記録装置として、同装置の筐体の外部に比較的大容量の液体保持体を吊り下げて支持しておき、その液体保持体に保持されたインク等の液体を筐体内の記録部に供給し、同記録部により上記液体を媒体に噴射して記録を行うものが知られている（特許文献１参照）。こうした記録装置では、同装置を移動させようとする際に筐体と液体保持体とを個別に移動させるという手間を省くため、液体保持体が収容されたケースを筐体に装着することが考えられている。
【０００３】
上記ケースには、液体保持体の出し入れにかかわる操作以外での誤操作を防止するため、また美観を損ねないために、同ケースに対し開閉可能なカバーが設けられる。更に、カバーを開いたときに周辺の物体にぶつかったり邪魔になったりすることがないよう、ある程度のカバーの開き動作を許容しつつ同カバーの開き度合いを所定レベル未満に規制するリンク機構が設けられる。こうしたリンク機構は、ケースとカバーとを繋ぐリンクを備える。そして、リンクの第１端は、カバーとケースとのうちの一方に接続される。また、カバーとケースとのうちのもう一方にはボスが設けられている。このボスには、リンクの第２端が接続される装着部が固定される。
【先行技術文献】
【特許文献】
【０００４】
【特許文献１】特開２００９ー２０２３４６公報
【発明の概要】
【発明が解決しようとする課題】
【０００５】
ところで、ケースに対するカバーの組み付けは、リンクの第１端をカバーもしくはケースに接続した後、リンクの第２端を装着部に接続し、その装着部を上記ボスに固定することによって行われる。しかし、その固定の際にはリンク機構によりケースに対するカバーの開き度合いが規制されるため、固定のための作業がしづらくなってケースに対するカバーの組み付け作業の作業性が悪くなる。
【０００６】
なお、上述したカバーの組み付け作業の作業性が悪くなるという問題は、インクジェット式プリンター以外の記録装置でも概ね共通したものとなっている。更に、上記問題は、液体保持体を収容するケースに組み付けられるカバーに限らず、本体に対し開閉される他のカバーにおいても概ね共通している。
【０００７】
本発明の目的は、カバーの組み付け作業を行いやすくすることができる記録装置及びカバーの組み付け方法を提供することにある。
【課題を解決するための手段】
【０００８】
以下、上記課題を解決するための手段及びその作用効果について記載する。
上記課題を解決する記録装置は、筐体の側面に設けられて液体保持体を収納するケースと、前記筐体内に設けられて前記液体保持体から供給された液体を媒体に噴射する記録部と、開閉動作により前記ケースのアクセス口を開放もしくは閉塞するカバーと、前記ケースと前記カバーとのうちの一方に第１端部側が接続されたリンクと、前記ケースと前記カバーとのうちのもう一方に設けられた第１被締結部と、前記リンクの前記第１端部側とは反対側の第２端部側が接続される接続部、及び、前記第１被締結部と締結される第２被締結部、を有して前記ケースと前記カバーとのうちの前記もう一方に装着される装着部と、を備える。そして、前記装着部は、前記ケースと前記カバーとのうちの前記もう一方に対して、前記ケースのアクセス口側から挿入された締結部材で前記第１被締結部と前記第２被締結部とを締結することにより装着される。
【０００９】
上記構成によれば、ケースにカバーを組み付ける際には、カバーの開き動作によりケースのアクセス口を開放させる。そして、リンクの第１端部側をケースとカバーとのうちの一方に接続する。更に、リンクの第２端部側を装着部の接続部に接続する。このようにリンクの第２端部側が接続された上記装着部における第２被締結部は、ケースとカバーとのうちのもう一方に設けられた第１被締結部に対して締結される。これにより、ケースに対するカバーの組み付けが行われる。上記第１被締結部に対する第２被締結部の締結は、ケースのアクセス口側から挿入された締結部材によって行われる。従って、第２被締結部を第１被締結部に対し締結する際、リンクによってケースに対するカバーの開き動作が規制されることにより、ケースのアクセス口が狭くなる状況のもとでも、上記締結の作業を容易に行うことができる。このため、ケースに対するカバーの組み付け作業が行いやすくなる。
【００１０】
上記カバーは、その下縁部を支点とする開き動作によりケースの上部に位置する上記アクセス口を開放させる一方、上記下縁部を支点とする閉じ動作により上記アクセス口を閉塞するものとすることが考えられる。この場合、リンクの第２端部側が接続される装着部の第２被締結部を第１被締結部に締結する際、その締結はケースの上部に位置するアクセス口側から下方に挿入される締結部材によって行われる。
【００１１】
上記リンクの第１端部側は、ケースとカバーとのうちの一方に形成された鍔付きの突部を上記第１端部側に形成された長孔に挿通することにより、ケースとカバーとのうちの一方に接続されるものとすることが好ましい。この場合、長孔に挿通された鍔付き突部の鍔部分を、その長孔からの同突部の抜け防止に利用することが可能になる。
【００１２】
なお、上記第１被締結部をケースに設けた場合、上記接続部は、装着部の第２被締結部が上記第１被締結部に締結された状態のもとで、同ケースに形成された壁面と対向していることが好ましい。
【００１３】
また、上記第１被締結部をカバーに設けた場合、上記接続部は、装着部の第２被締結部が上記第１被締結部に締結された状態のもとで、同カバーに形成された壁面と対向していることが好ましい。
【００１４】
上記リンクにおける第２端部側の装着部の接続部に対する接続は、第２端部側と接続部とのうちの一方に形成された凸部を、もう一方に形成された係合穴に挿入することによって行うことが考えられる。こうした第２端部側と接続部との接続構造を、同接続部が上述したようにケースもしくはカバーに形成された上記壁面と対向するものに適用すれば、それら接続部と壁面との間にリンクの第２端部側が挟まれた状態となるため、上記係合穴から上記凸部が抜けることを抑制できる。
【００１５】
上記課題を解決するカバーの組み付け方法では、本体にカバーの縁部を支持させて同縁部を支点としたカバーの開閉動作により前記本体のアクセス口を開放もしくは閉塞可能とする。そして、前記アクセス口を開放した状態でリンクの第１端部側を前記本体と前記カバーとのうちの一方に接続する。また、前記アクセス口を開放した状態で前記リンクの第２端部側を装着部に対し係合穴への凸部の挿入を通じて接続する。更に、前記リンクの第２端部側が接続されている装着部を、前記開放した状態のアクセス口側から挿入された締結部材により、前記本体と前記カバーとのうちのもう一方に設けられた被締結部に対し締結する。
【００１６】
上記方法によれば、装着部を被締結部に締結する際、リンクによって本体に対するカバーの開き動作が規制されることにより、本体のアクセス口が狭くなる状況のもとでも、上記締結の作業を容易に行うことができる。すなわち、本体のアクセス口側から挿入された締結部材により装着部を被締結部に対し締結することができるため、その締結の作業を容易に行うことができる。このため、カバーの組み付け作業が行いやすくなる。
【００１７】
上記課題を解決するカバーの組み付け方法では、本体にカバーの縁部を支持させて同縁部を支点としたカバーの開閉動作により前記本体のアクセス口を開放もしくは閉塞可能とする。そして、前記アクセス口を開放した状態でリンクの第１端部側を前記本体と前記カバーとのうちの一方に接続する。また、開放した状態のアクセス口に対応する位置に引き出された装着部に対し、前記リンクの第２端部側を、係合穴への凸部の挿入を通じて接続する。その後、前記装着部を引き出される前の位置に戻すことにより、前記リンクの第２端部側が、前記本体と前記カバーとのうちのもう一方に設けられた壁面と前記装着部において前記壁面と向かい合う対向面との間に挟まれるようにする。更に、前記リンクの第２端部側が接続されている装着部を、前記開放した状態のアクセス口側から挿入された締結部材により、前記本体と前記カバーとのうちの前記壁面が存在する方に設けられた被締結部に対し締結する。
【００１８】
上記方法によれば、装着部を被締結部に締結する際、リンクによって本体に対するカバーの開き動作が規制されることにより、本体のアクセス口が狭くなる状況のもとでも、上記締結の作業を容易に行うことができる。すなわち、本体のアクセス口側から挿入された締結部材により装着部を被締結部に対し締結することができるため、その締結の作業を容易に行うことができる。このため、カバーの組み付け作業が行いやすくなる。
【図面の簡単な説明】
【００１９】
【図１】記録装置を示す斜視図。
【図２】同装置の液体収容ユニットを示す斜視図。
【図３】液体収容ユニットの分解斜視図。
【図４】同ユニットのケースからカバーを外した状態を示す斜視図。
【図５】同ケースの液体受容部材に対するカバーの支持構造を示す斜視図。
【図６】カバーを開いた状態の液体収容ユニットを示す断面図。
【図７】同ユニットのリンク機構を示す斜視図。
【図８】リンクの第１端寄りの部分とカバーとの接続部分を拡大して示す略図。
【図９】（ａ）及び（ｂ）は、リンクの第１端寄りの部分とカバーとの接続の仕方を示す略図。
【図１０】化粧板を示す斜視図。
【図１１】化粧板を示す斜視図。
【図１２】リンクが組み付けられた化粧板を示す斜視図。
【図１３】リンクが組み付けられた化粧板を示す斜視図。
【図１４】図２のケースを右側から見た状態を示す側面図。
【図１５】図２のケースを右側から見た状態を示す側面図。
【図１６】側壁形成部材に化粧板を取り付けたときの第１被締結部と第２被締結部との位置関係を示す略図。
【図１７】化粧板の第２被締結部が側壁形成部材の第１被締結部に締結されたときのリンクの第２端の位置を示す略図。
【発明を実施するための形態】
【００２０】
以下、記録装置及びカバーの組み付け方法の一実施形態について、図１〜図１７を参照して説明する。
図１に示すように、記録装置１１の筐体１２の前面には、上下二段の給紙カセット１３，１４が着脱自在に装着されている。給紙カセット１３には記録用の媒体である用紙Ｐが積層状態で収容されており、給紙カセット１４には上記用紙Ｐと異なるサイズの用紙Ｐが積層状態で収容されている。なお、給紙カセット１３に収容される用紙Ｐと給紙カセット１４に収容される用紙Ｐとは同サイズであってもよい。
【００２１】
記録装置１１の筐体１２内には、左右方向に往復移動するキャリッジ１５が設けられている。キャリッジ１５には、給紙カセット１３，１４から筐体１２内に搬送された用紙Ｐにインクを噴射して印刷を行う液体噴射ヘッド１６が支持されている。この液体噴射ヘッド１６は、媒体（用紙Ｐ）に対し液体（インク）を噴射して記録（印刷）を行う記録部として機能する。そして、液体噴射ヘッド１６により印刷が行われた用紙Ｐは、筐体１２の前面に設けられた排紙トレイ１７に送り出される。
【００２２】
記録装置１１の筐体１２の左右両側面には液体収容ユニット１８，１９が設けられている。筐体１２の左側の液体収容ユニット１８にはブラックインクが保持された液体保持体が収容されており、そのブラックインクがインク供給チューブ２０を介して液体噴射ヘッド１６に供給される。一方、筐体１２の右側の液体収容ユニット１９にはカラーインクが保持された複数の液体保持体が収容されており、それら液体保持体毎に保持されたシアンインク、マゼンタインク、及びイエローインクといったカラーインクがインク供給チューブ２１を介して液体噴射ヘッド１６に供給される。
【００２３】
次に、液体収容ユニット１８，１９における液体収容体を覆うケース及びカバーの構造について説明する。なお、液体収容ユニット１８と液体収容ユニット１９とは、収容される液体保持体の数、及び、収容される液体保持体に保持されたインクの種類が異なるだけであってケース及びカバーのおおまかな構造については同一であるため、以下では液体収容ユニット１９のケース及びカバーの構造について詳しく述べる。
【００２４】
図２〜図５は、液体収容ユニット１９の構造を示す斜視図である。図２に示すように、液体収容ユニット１９は、筐体１２（図１）の側面に取り付けられて液体保持体２２〜２４を収納するケース２５と、開閉動作によりケース２５のアクセス口２６を開放もしくは閉塞するカバー２７と、を備えている。ケース２５は、その底部を形成する液体受容部材２８と、同液体受容部材２８における左側壁の上端部に繋がってケース２５の筐体１２側の側壁を形成する側壁形成部材２９と、を備えている。
【００２５】
図３は、ケース２５からカバー２７を分離し、且つ、同ケース２５の液体受容部材２８と側壁形成部材２９とを分離させた状態を示している。同図に示されるように、側壁形成部材２９の右側面には化粧板３９が取り付けられている。
【００２６】
図４は、側壁形成部材２９と液体受容部材２８とを繋いだ状態を示している。側壁形成部材２９に対する上記化粧板３９の取り付けは、それら側壁形成部材２９及び化粧板３９の下部に形成された複数のねじ孔５６にそれぞれねじ５７をねじ込むことによって行われる。また、側壁形成部材２９の右側面における化粧板３９の上側には、支持部材３０〜３２が設けられている。そして、支持部材３０〜３２に斜め前方に向って突出するように形成された掛止部３３〜３５にはそれぞれ、図２に示されるように液体保持体２２〜２４の取手部３６〜３８が掛止されている。これにより、支持部材３０〜３２には液体保持体２２〜２４が吊り下げられた状態で支持される。
【００２７】
図５及び図６に示すように、カバー２７の下縁部は、液体受容部材２８における右側壁の上端部に支持されている。詳しくは、カバー２７の下縁部にアーム部４０を介して固定されて前後方向に延びるヒンジ軸４１が、液体受容部材２８における右側壁の上端部に固定された軸受部４２によって回動可能に支持されている。そして、軸受部４２上に支持されたヒンジ軸４１の上から保持部材４３を同軸受部４２にねじ４４（図５）で固定することにより、ヒンジ軸４１が軸受部４２から外れないようにされる。
【００２８】
カバー２７は、ヒンジ軸４１を中心とする回動動作、言い換えればヒンジ軸４１を支点とする開閉動作により、図２に示すようにケース２５の上部に位置するアクセス口２６を解放もしくは閉塞する。そして、ケース２５に対する液体保持体２２〜２４の出し入れは、図６に示すようにカバー２７を開き動作させてケース２５のアクセス口２６を開放した状態のもと、そのアクセス口２６を通じて行われる。
【００２９】
ケース２５（側壁形成部材２９）とカバー２７との間には、同カバー２７を開いたときに周辺の物体にぶつかったり邪魔になったりすることがないよう、ある程度のカバー２７の開き動作を許容しつつ同カバー２７が開きすぎないように規制するリンク機構４５が設けられている。このリンク機構４５は、側壁形成部材２９とカバー２７との間において、前後（図６の紙面と直交する方向の手前と奥）にそれぞれ設けられている。
【００３０】
次に、リンク機構４５について説明する。
図６に示すように、リンク機構４５は、ケース２５とカバー２７とを繋ぐリンク４６を備えている。このリンク４６の第１端４６ａ（図中右端）寄りの部分はカバー２７に接続されており、同リンク４６の第２端４６ｂ（図中左端）寄りの部分は化粧板３９に接続されている。なお、上記化粧板３９は、ケース２５に装着される装着部として機能する。そして、化粧板３９をケース２５の側壁形成部材２９に締結して組み付けることにより、ケース２５とカバー２７とがリンク機構４５のリンク４６によって繋がれる。この状態のもとでは、リンク機構４５により、カバー２７の開き動作がある程度は許容されつつ、開きすぎることがないように規制される。
【００３１】
図７〜図９は、リンク４６の第１端４６ａ寄りの部分とカバー２７との接続部分の構造、及び、両者の接続態様を示している。図７に示すように、リンク４６の第１端４６ａ寄りの部分には、リンク４６の長手方向を長径とする長孔４８が形成されている。一方、カバー２７には、水平方向に突出して上記長孔４８を挿通した状態となる鍔４９ａ付きの突部４９が形成されている。図８に示すように、鍔４９ａは、突部４９の先端から同突部４９の径方向に突出する半円の板状に形成されており、カバー２７の開閉方向（図中の略左右方向）の幅が最小となるよう突部４９の周方向についての位置が定められている。
【００３２】
リンク４６の第１端４６ａ寄りの部分をカバー２７に接続する際には、図９（ａ）に示すように、長孔４８の短径方向（長径方向と直交する方向）と鍔４９ａの最小幅方向（図中の略左右方向）とが一致するようリンク４６を突部４９に対し位置合わせする。このときの突部４９に対する長孔４８の相対位置を図９（ｂ）に実線で示す。そして、図９（ｂ）に二点鎖線で示すように、リンク４６を突部４９に対し傾けることにより、鍔４９ａが長孔４８をくぐり抜けるようにする。その結果、突部４９が長孔４８を挿通した状態となり、その状態でリンク４６を突部４９周りに約９０度回転させることにより、図８に示すようにリンク４６がカバー２７の開閉方向に延びるように配置される。このように配置されたリンク４６では、突部４９からの同リンク４６の抜けが鍔４９ａを利用して防止される。このことは、鍔４９ａの最大幅（図８の略上下方向の幅）が長孔４８の短径方向の幅よりも大きく設定されることによって実現されている。
【００３３】
図１０〜図１３は、化粧板３９を示す斜視図である。図１０及び図１１に示すように、化粧板３９における前後両縁にはそれぞれ、ケース２５の側壁形成部材２９における化粧板３９の取り付け面に突出形成された第１被締結部５０に対し締結される第２被締結部５１が設けられている。また、化粧板３９における前後両縁にはそれぞれ、図１２及び図１３に示すリンク４６の第２端４６ｂ寄りの部分が接続される接続部５２も設けられている。この接続部５２とリンク４６の第２端４６ｂ寄りの部分とは、それらのうちの一方に形成された凸部５３をもう一方に形成された係合穴５４に挿入することにより接続されている。なお、この例では、接続部５２に凸部５３が水平方向に突出するように形成されており、リンク４６の第２端４６ｂ寄りの部分に係合穴５４が形成されている。凸部５３が係合穴５４に挿入されることにより、リンク４６の第２端４６ｂ寄りの部分が接続部５２に接続された状態では、そのリンク４６が上記凸部５３周りに回動可能となる。
【００３４】
図１４及び図１５は、図２のケース２５を右側から見た状態を示している。なお、図１４はケース２５の側壁形成部材２９から化粧板３９を取り外した状態を示しており、図１５は側壁形成部材２９に化粧板３９を取り付けた状態を示している。これらの図から分かるように、側壁形成部材２９から化粧板３９を取り外した状態では、側壁形成部材２９における化粧板３９の取り付け面に第１被締結部５０が露出しており、その取り付け面に化粧板３９を取り付けた状態のときには第２被締結部５１が上記第１被締結部５０と重なる。
【００３５】
図１６は、このときの第１被締結部５０と第２被締結部５１との位置関係を示す略図である。同図は、図１５に示す側壁形成部材２９及び化粧板３９における第２被締結部５１周りを矢印Ａ−Ａ方向から見た状態を概略的に示している。図１６から分かるように、第１被締結部５０は第２被締結部５１の内側に位置し、そうした状態でねじ等の締結部材５５により第２被締結部５１と第１被締結部５０とが締結される。この締結部材５５は、ケース２５の上部に位置するアクセス口２６（図６等参照）から同ケース２５内に挿入され、第２被締結部５１及び第１被締結部５０に対し下方に向ってねじ込まれる。これにより、化粧板３９がケース２５（側壁形成部材２９）に装着される。このときには、図６に示されるように、ケース２５とカバー２７とがリンク機構４５のリンク４６によって繋がれる。
【００３６】
図１７は、リンク４６の第２端４６ｂが化粧板３９の接続部５２に接続された状態のもと、同化粧板３９の第２被締結部５１が側壁形成部材２９の第１被締結部５０に締結されたときの上記第２端４６ｂの位置を示す略図である。同図は、図１６に示す側壁形成部材２９の第１被締結部５０及び化粧板３９の第２被締結部５１を図中右側（右側面側）から見た状態を概略的に示している。図１７から分かるように、このときには接続部５２に形成された対向面４７ａが、側壁形成部材２９における壁面２９ａと対向する。そして、それら壁面２９ａと対向面４７ａとの間にリンク４６の第２端４６ｂが挟まれる。従って、上述したように第２被締結部５１が第１被締結部５０に締結された後には、第２端４６ｂの係合穴５４から接続部５２の凸部５３が抜けることは抑制される。
【００３７】
次に、本体（この例ではケース２５）に対するカバー２７の組み付け方法について説明する。
ケース２５にカバー２７を組み付ける際、まず図４に示すようにケース２５の側壁形成部材２９に化粧板３９を、各ねじ孔５６に対するねじ５７のねじ込みによって取り付ける。この状態では、側壁形成部材２９に対し化粧板３９の上部を右方向（矢印Ｂ方向）に引き出すことが可能となっている。その後、図５に示すように、カバー２７の下縁部に設けられたヒンジ軸４１が、ケース２５（液体受容部材２８）の軸受部４２上に回動可能に支持されるようにする。これにより、上記ヒンジ軸４１を支点としてカバー２７が開閉動作可能になる。更に、軸受部４２上に支持されたヒンジ軸４１の上から保持部材４３を同軸受部４２にねじ４４で固定することにより、ヒンジ軸４１が軸受部４２から外れないようにされる。
【００３８】
その後、図７に示すように、ヒンジ軸４１を支点とするカバー２７の開き動作を通じてアクセス口２６を開放する。そして、リンク４６の第１端４６ａ寄りの部分をカバー２７に接続する一方、リンク４６の第２端４６ｂ寄りの部分を化粧板３９の接続部５２に接続する。このとき、側壁形成部材２９に取り付けられた化粧板３９は、第２被締結部５１がアクセス口２６に対応して位置するよう側壁形成部材２９側から矢印Ｂ方向に引き出される。そして、リンク４６の第２端４６ｂ寄りの部分が、化粧板３９の接続部５２に対し、係合穴５４への凸部５３の挿入を通じて接続される。
【００３９】
リンク４６の第２端４６ｂ寄りの部分を化粧板３９の接続部５２に接続した後、化粧板３９を矢印Ｂ方向に引き出される前の位置に戻すことにより、リンク４６の第２端４６ｂ寄りの部分が、図１７に示すように側壁形成部材２９（ケース２５）の壁面２９ａと接続部５２の対向面４７ａとの間に挟まれる。更に、このときには、図１６に示すように、側壁形成部材２９の第１被締結部５０が、化粧板３９の第２被締結部５１の内側に位置する。そして、アクセス口２６（図７等）から下方に挿入されたねじ等の締結部材５５により、第２被締結部５１と第１被締結部５０とが締結される。これにより、ケース２５に対するカバー２７の組み付けが行われる。
【００４０】
次に、記録装置１１及びカバー２７の組み付け方法の作用について説明する。
ケース２５（側壁形成部材２９）の第１被締結部５０に対する化粧板３９の第２被締結部５１の締結は、ケース２５の上部に位置するアクセス口２６側から下方に挿入された締結部材５５によって行われる。従って、第２被締結部５１を第１被締結部５０に対し締結する際、リンク４６によってケース２５に対するカバー２７の開き動作が規制されることにより、ケース２５のアクセス口２６が狭くなる状況のもとでも、上記締結の作業を容易に行うことができる。このため、ケース２５に対するカバー２７の組み付け作業が行いやすくなる。
【００４１】
以上詳述した本実施形態によれば、以下に示す効果が得られるようになる。
（１）ケース２５にカバー２７を組み付けるための第１被締結部５０に対する第２被締結部５１の締結は、アクセス口２６側から挿入された締結部材５５によって行われる。従って、リンク４６によってカバー２７の開き動作が規制されてアクセス口２６が狭くなるとしても、上記締結の作業を容易に行うことができるため、ケース２５に対するカバー２７の組み付け作業が行いやすくなる。
【００４２】
（２）リンク４６の第１端４６ａ寄りの部分は、その部分に形成された長孔４８に対し、カバー２７に設けられた鍔４９ａ付きの突部４９を挿通することにより、同カバー２７に接続される。この場合、長孔４８に挿通された突部４９の鍔４９ａ部分を利用してその長孔４８からの同突部４９の抜けを防止することができる。
【００４３】
（３）リンク４６の第２端４６ｂ寄りの部分と化粧板３９の接続部５２との接続は、それらのうちの一方に設けられた係合穴５４に対し、もう一方に設けられた凸部５３を挿入することによって行われる。そして、リンク４６の第２端４６ｂ寄りの部分は、化粧板３９の第２被締結部５１がケース２５（側壁形成部材２９）の第１被締結部５０に締結されたとき、側壁形成部材２９の壁面２９ａと化粧板３９（接続部５２）の対向面４７ａとの間に挟まれる。このため、第２被締結部５１を第１被締結部５０に締結した状態では、上記係合穴５４から上記凸部５３が抜けることを抑制できる。
【００４４】
なお、上記実施形態は、例えば以下のように変更することもできる。
・カバー２７の組み付け方法において、化粧板３９の第２被締結部５１を側壁形成部材２９の第１被締結部５０に締結する前に、化粧板３９を側壁形成部材２９に取り付け、リンク４６の第２端４６ｂ寄りの部分を化粧板３９の接続部５２に接続するために、同化粧板３９を図７の矢印Ｂ方向に引き出すことは必須ではない。例えば、化粧板３９が側壁形成部材２９に取り付けられていない状態で、リンク４６の第２端４６ｂ寄りの部分を接続部５２に接続し、その後に化粧板３９を側壁形成部材２９に対し位置合わせする。詳しくは、化粧板３９の第２被締結部５１の内側に側壁形成部材２９の第１被締結部５０が位置するよう、化粧板３９を側壁形成部材２９に対し位置合わせする。この状態で、第２被締結部５１と第１被締結部５０とを締結部材５５により締結することにより、上述したように化粧板３９を側壁形成部材２９側から引き出したり、引き出す前の位置に戻したりすることなく、第２被締結部５１を第１被締結部５０に締結するようにしてもよい。
【００４５】
・リンク４６の第２端４６ｂ寄りの部分を化粧板３９の接続部５２に接続するための係合穴５４と凸部５３とは、それらの位置関係を逆にすることも可能である。すなわち、係合穴５４を接続部５２に形成し、凸部５３をリンク４６の第２端４６ｂ寄りの部分に形成することも可能である。
【００４６】
・化粧板３９を装着部として機能させる代わりに、化粧板３９とは別体に装着部を設けることも可能である。この場合、化粧板３９は上記装着部とは別に側壁形成部材２９に組み付けられる。一方、上記装着部の側壁形成部材２９に対する固定は、同装着部の第２被締結部５１を側壁形成部材２９の第１被締結部５０に対し締結部材５５で締結することによって行われる。
【００４７】
・リンク４６の第１端４６ａ寄りの部分をカバー２７に接続するために用いられる鍔４９ａ付き突部４９において、鍔４９ａの形状は必ずしも半円の板状である必要はなく、半円以外の形状とすることも可能である。
【００４８】
・リンク４６における第１端４６ａ寄りの部分をケース２５の側壁形成部材２９に接続し、リンク４６における第２端４６ｂ寄りの部分が接続される接続部が設けられた装着部をカバー２７に締結するようにしてもよい。この場合、上記装着部に設けられた第２被締結部がカバー２７に設けられた第１被締結部に締結されることにより、同装着部がカバー２７に装着される。なお、リンク４６の第２端４６ｂ寄りの部分は、上記第２被締結部が上記第１被締結部に締結された状態のもとで、カバー２７に形成された壁面と装着部における上記壁面に対向する対向面との間に挟まれるものとすることが好ましい。
【００４９】
・ケース２５のアクセス口２６は、必ずしもケース２５の上部に設定されている必要はない。例えば、カバー２７の開閉動作を同カバー２７の横縁を支点として行うことにより、そのケース２５の開閉動作を通じて開放されたり閉塞されたりするアクセス口２６がケース２５の側部に設定されるようにしてもよい。この場合、第１被締結部と第２被締結部との締結が、上記アクセス口から略水平方向にケース２５内に挿入されるねじ等の締結部材によって行われる。
【００５０】
・カバーの組み付け方法については、液体収容ユニット１９等のカバー２７の組み付けに適用することに限らず、記録装置１１における他のカバーに適用してもよい。こうしたカバーとしては、記録装置１１における筐体１２のカバー、反転経路のカバー、及びメモリカードやＵＳＢメモリなどのインターフェースカバー等があげられる。
【００５１】
また、液体噴射ヘッドを支持するキャリッジに対し筐体１２にセットされたインクカートリッジのインクを供給するオフキャリッジタイプの記録装置では、そのインクカートリッジを出し入れする際に開閉されるカバーに適用することも可能である。更に、液体噴射ヘッドを支持するキャリッジにインクカートリッジをセットするオンキャリッジタイプの記録装置では、キャリッジユニットのカバーに適用することが可能である。
【００５２】
スキャナユニットを備える記録装置であれば、そのスキャナユニットのカバーに適用してもよい。また、上記スキャナユニットにオートドキュメントフィーダ（ＡＤＦ）が設けられる場合には、ＡＤＦのカバーに適用したり、同ＡＤＦに搬送される媒体の載置台のカバーに適用したりすることも可能である。
【００５３】
・記録装置１１は、用紙Ｐの印刷を行うものに限らず、布、プラスチックフィルム、ＣＤなどの媒体に記録を行うものであってもよい。
【符号の説明】
【００５４】
１１…記録装置、１２…筐体、１３…給紙カセット、１４…給紙カセット、１５…キャリッジ、１６…液体噴射ヘッド、１７…排紙トレイ、１８…液体収容ユニット、１９…液体収容ユニット、２０…インク供給チューブ、２１…インク供給チューブ、２２〜２４…液体保持体、２５…ケース、２６…アクセス口、２７…カバー、２８…液体受容部材、２９…側壁形成部材、２９ａ…壁面、３０〜３２…支持部材、３３〜３５…掛止部、３６〜３８…取手部、３９…化粧板、４０…アーム部、４１…ヒンジ軸、４２…軸受部、４３…保持部材、４４…ねじ、４５…リンク機構、４６…リンク、４６ａ…第１端、４６ｂ…第２端、４７ａ…対向面、４８…長孔、４９ａ…鍔、４９…突部、５０…第１被締結部、５１…第２被締結部、５２…接続部、５３…凸部、５４…係合穴、５５…締結部材、５６…ねじ孔、５７…ねじ。
【図１】
2015174279.tif 000003
【図２】
2015174279.tif 000004
【図３】
2015174279.tif 000005
【図４】
2015174279.tif 000006
【図５】
2015174279.tif 000007
【図６】
2015174279.tif 000008
【図７】
2015174279.tif 000009
【図８】
2015174279.tif 000010
【図９】
2015174279.tif 000011
【図１０】
2015174279.tif 000012
【図１１】
2015174279.tif 000013
【図１２】
2015174279.tif 000014
【図１３】
2015174279.tif 000015
【図１４】
2015174279.tif 000016
【図１５】
2015174279.tif 000017
【図１６】
2015174279.tif 000018
【図１７】
2015174279.tif 000019